(57)【要約】【課題】買い物において、買い忘れをしたり、レジでポイントカード等を出すのに手間取ったり、レシートをポケット等に仕舞い、いざ必要になったときに慌てて探したりすることがある。また、重い買い物袋を持ち運ぶとき、手提げ部が手や腕に食い込み、苦痛を感じることがある。  本発明は、腕の痛みを軽減するとともに、備忘録とカードやレシート等の収納箇所も併せ持つ買い物用アームカバーを提供する。【解決手段】重ねた長方形の長辺に平行な数本の縫い目を入れ、各穴に芯を挿入した本体部には、長辺側に外帯と内帯、短辺側に留め部と環状部を設けた左方上部と左右にポケットを設けた左方下部とがあり、左方上部と左方下部との間にファスナーを設け、一方の短辺側の右方部とは、それぞれ本体部の縫い代で合わさり一体となっている買い物用アームカバー。【選択図】図２
2013154156.tif 000002
【特許請求の範囲】
【請求項１】
重ねた長方形の長辺に平行な数本の縫い目（２）を入れ、各穴に芯を挿入した本体部（１）には、長辺側に外帯（３）と内帯（４）、短辺側に留め部（１０）と環状部（１２）を設けた左方上部（８）と左右にポケット（１４ａ、１４ｂ）を設けた左方下部（１３）とがあり、左方上部（８）と左方下部（１３）との間にファスナー（１５）を設け、一方の短辺側の右方部（１９）とは、それぞれ本体部（１）の縫い代（１８ａ、１８ｂ）で合わさり一体となっている買い物用アームカバー。
【発明の詳細な説明】
【技術分野】
【０００１】  本発明は、買い物袋の手提げ部を腕から通して下腕部から吊り下げたときの腕の痛みを軽減するとともに、買い忘れを防ぐための備忘録及びカードやレシート等の収納箇所も併せ持った買い物用アームカバーに関するものである。
【背景技術】
【０００２】  スーパーマーケット等での買い物を終えて、買い物袋を持ち運ぶ際の手や腕の負担を軽減するための道具として、特許文献１や特許文献４のような手提げ用の握り手や補助具があり、下腕部から吊り下げる構造のものでは、特許文献２及び特許文献３並びに特許文献７があり、手首から吊り下げる構造としては特許文献５がある。また、肩から吊り下げる構造のものでは、特許文献６がある。
【先行技術文献】
【特許文献】
【０００３】
【特許文献１】特開２００７−３７９４７号公報
【特許文献２】特開２００３−１６４３１８号公報
【特許文献３】特開２００２−３６９７０８号公報
【特許文献４】特開２００１−２３１６２２号公報
【特許文献５】実用新案登録３１２１９６３号公報
【特許文献６】実用新案登録３１１５７３９号公報
【特許文献７】実用新案登録３０１０８５０号公報
【発明の概要】
【発明が解決しようとする課題】
【０００４】  買い物で数多くの種類の品物を購入予定の場合、つい買い忘れをしたりすることがある。また、買い物をした後、レジでポイントサービスカード等を出すのに手間取ったり、精算して受け取ったレシートを無造作にポケットの中等に仕舞い、いざレシートが必要になったときに慌てて探したりすることがある。さらに、買い物を終えて、重い買い物袋を持ち帰るとき、買い物袋の手提げ部が手や腕に食い込み、苦痛を感じることがある。
本発明は、以上の問題点を解決するために発明されたものである。
【課題を解決するための手段】
【０００５】  重ねた長方形の長辺に平行な数本の縫い目（２）を入れ、各穴に芯を挿入した本体部（１）には、長辺側に外帯（３）と内帯（４）、短辺側に留め部（１０）と環状部（１２）を設けた左方上部（８）と左右にポケット（１４ａ、１４ｂ）を設けた左方下部（１３）とがあり、左方上部（８）と左方下部（１３）との間にファスナー（１５）を設け、一方の短辺側の右方部（１９）とは、それぞれ本体部（１）の縫い代（１８ａ、１８ｂ）で合わさり一体となっている。
以上の構成よりなる買い物用アームカバー。
【発明の効果】
【０００６】  本発明を使用することによって、以下のような効果が期待できる。
（イ）本発明は、筆記具と備忘録を収納する箇所を設けているので、事前に記載しておけば、数多くの種類の品物を購入する場合でも、買い忘れを防ぐことができる。
（ロ）本発明は、カードやレシートを収納する箇所を設けているので、レジでポイントサービスカード等を出すのに手間取ったり、後でレシートを慌てて探したりすることを防ぐことができる。
（ハ）本発明は、買い物袋の手提げ部を下腕部に通して支持する構造なので、広い面積で荷重を分散できるため、腕の痛みを軽減することができる。
【図面の簡単な説明】
【０００７】
【図１】本発明の平面図
【図２】本発明の斜視図
【図３】本発明の正面図
【図４】左方下部を開いた状態での平面図
【図５】全て畳んだ状態での斜視図
【図６】本発明の使用状態を示す斜視図
【発明を実施するための形態】
【０００８】  以下、本発明の実施の形態を説明する。
（イ）本体部（１）は、長辺約１８０ｍｍ、短辺約１４０ｍｍの長方形の布等を２枚重ね合わせ、短辺の両側約１０ｍｍを縫い代（１８ａ、１８ｂ）として残し、長辺に平行な１０本から１５本程度の縫い目（２）を入れる。その各穴の中へ竹ひご等の芯となる素材を１本ずつ挿入して芯とする。図１及び図２を参照。
（ロ）本体部（１）を下腕部に巻きつけるための、織ゴムからなる外帯（３）と内帯（４）を本体部（１）の長辺側に縫い合わせる。外帯（３）には、通し具（５）を設け、内帯（４）には、中央部に雄面ファスナー（６）、先端部には雌面ファスナー（７）を設ける。図１及び図２を参照。
（ハ）左方上部（８）は、長辺約１５０ｍｍ、短辺約８０ｍｍの長方形の布等を２枚重ねて縫い合わせる。表面の先方部に雌面ファスナー（９）を設け、先端部には略半円形状の布等を２枚縫い合わせた留め部（１０）を設け、左方上部（８）に縫い合わせる。留め部（１０）の裏面には図３のように雄留め具（１１）を設ける。さらに左方上部の長辺の一端にポリエステル等の化学繊維を環状にした環状部（１２）を設け、左方上部（８）と縫い合わせる。この環状部（１２）には筆記具を収納する。図１及び図２を参照。
（ニ）左方下部（１３）は、左方上部（８）と短辺の長さが同一で、長辺の長さが２倍になる長方形の布等を２枚重ねて縫い合わせる。表面には左右に正方形の布を当てて縫いつけたポケット（１４ａ、１４ｂ）を設ける。図４を参照。さらに左方上部（８）の裏面と左方下部（１３）の裏面の半分とを背中合わせにして、３辺を縫い合わせ、残りの長辺の１辺を縫い合わせずに開口部とし、そこにファスナー（１５）を設ける。図２及び図３を参照。左方下部（１３）の裏面の先方に雌留め具（１６）を設ける。図３参照。
（ホ）左方下部の中央線（１７）を本体部（１）の縫い代（１８ａ）に重ねて縫い合わせる。図４を参照。
（ヘ）右方部（１９）は、左方上部（８）と短辺の長さが同一で、長辺の長さが３分の１になる長方形の布等を２枚重ねて縫い合わせる。さらに本体部（１）の縫い代（１８ｂ）に合わせて縫いつける。図１及び図２を参照。右方部（１９）の裏面に雄面ファスナー（２０）を設ける。図３を参照。
本発明は、以上の構成よりなる。
本発明を使用するときは、図１のように開いた状態で本体部（１）の縫い目（２）が下腕部と平行になるように乗せる。次に下から腕に巻くように内帯（４）を外帯（３）の通し具（５）に通し、折り返して内帯（４）の雄面ファスナー（６）と雌面ファスナー（７）とを合わせる。買い物袋（１００）の手提げ部を下腕部に通し、本体部（１）の上に乗せる。右方部（１９）を畳み、左方上部（８）を畳むと右方部（１９）の裏面の雄面ファスナー（２０）と左方上部（８）の表面の雌面ファスナー（９）とが合わさる。さらに左方下部（１３）を畳み、左方上部（８）の留め部（１０）を畳むと、左方下部（１３）裏面の雌留め具（１６）と留め部（１０）裏面の雄留め具（１１）が合わさる。図５を参照。こうして買い物袋の持ち運びを行う。図６を参照。
また、本発明は、買い忘れを防ぐための備忘録を収納する箇所も設けており、上記の全てを畳んだ状態からは、左方下部（１３）裏面の雌留め具（１６）と留め部（１０）裏面の雄留め具（１１）を外して開くと、図４のように２箇所のポケット（１４ａ、１４ｂ）があるので、備忘録の表表紙と裏表紙を各ポケット（１４ａ、１４ｂ）に挿入して使用する。また、環状部（１２）には筆記具を収納する。カードやレシートは、上記（ニ）の左方上部（８）と左方下部（１３）との間のファスナー（１５）を開いて収納する。図３を参照。
【符号の説明】
【０００９】１  本体部    ２  縫い目    ３  外帯    ４  内帯    ５  通し具
６  雄面ファスナー    ７  雌面ファスナー    ８  左方上部
９  雌面ファスナー    １０  留め部    １１  雄留め具    １２  環状部
１３  左方下部    １４ａ  ポケット    １４ｂ  ポケット    １５  ファスナー
１６  雌留め具    １７  中央線    １８ａ  縫い代    １８ｂ  縫い代
１９  右方部    ２０  雄面ファスナー    １００  買い物袋
【図１】
2013154156.tif 000003
【図２】
2013154156.tif 000004
【図３】
2013154156.tif 000005
【図４】
2013154156.tif 000006
【図５】
2013154156.tif 000007
【図６】
2013154156.tif 000008